(57)【要約】【課題】  パネル組立時にいずれのパネル側端部を対向させても接合することができる冷蔵倉庫用パネル組立体及び冷蔵倉庫用パネルを得る。【解決手段】  接合溝部２２には、連結部材２４の一部が嵌入可能となっているため、パネル１０の端部同士を隣接させ、対向する接合溝部２２の両方に連結部材２４を嵌入すれば、２個のパネル１０を隣接して接合することができる。これにより、パネル組立時にいずれのパネル側端部を対向させてもパネル１０を接合することができる。【選択図】      図２
2005155071.tif 000002
【特許請求の範囲】
【請求項１】
一対の板材間に断熱材を備える複数の冷蔵倉庫用パネル本体と、この冷蔵倉庫用パネル本体の両端部に各々設けられ、前記冷蔵倉庫用パネル本体の外方に向かって開口した接合溝部を備えた枠材と、を備える冷蔵倉庫用パネルと、
隣接する一対の前記冷蔵倉庫用パネルのうちの一方の前記冷蔵倉庫用パネルの前記接合溝部へ一側が嵌入され、他側が他方の前記冷蔵倉庫用パネルの前記接合溝部へ嵌入され、隣接する一対の前記冷蔵倉庫用パネルを互いに連結する連結部材と、
を有することを特徴とする冷蔵倉庫用パネル組立体。
【請求項２】
前記連結部材が、前記接合溝部の対向する側壁面に各々面接触する一対の平行板と、前記平行板の間を架け渡し、前記平行板と共に前記接合溝部の底面に対向する凹部を形成する中間部材と、を有することを特徴とする請求項１記載の冷蔵倉庫用パネル組立体。
【請求項３】
前記中間部材が互いに略平行に２個設けられ、前記平行板と前記中間部材とが閉空間を形成することを特徴とする請求項２記載の冷蔵倉庫用パネル組立体。
【請求項４】
前記閉空間内に断熱材が配設されたことを特徴とする請求項３記載の冷蔵倉庫用パネル組立体。
【請求項５】
請求項１から４のいずれか一項に記載の冷蔵倉庫用パネル組立体に用いられる冷蔵倉庫用パネルであって、
対向して配置される一対の板材と、
一対の前記板材間に充填される断熱材と、
前記板材の両端部側にそれぞれ配置され、前記板材の両端部にそれぞれ係合する係合溝部を備えると共に、外方に向かって開口した接合溝部を備える枠材と、
を有することを特徴とする冷蔵倉庫用パネル。
【請求項６】
前記接合溝部が前記冷蔵倉庫用パネルの厚さ方向中央位置に形成されたことを特徴とする請求項５記載の冷蔵倉庫用パネル。
【請求項７】
前記枠材が前記板材間の外側に張り出して配置されていることを特徴とする請求項５又は請求項６に記載の冷蔵倉庫用パネル。
【請求項８】
請求項１から７のいずれか一項に記載される複数枚の冷蔵倉庫用パネルが冷蔵倉庫角部で互いに直角に隣接して配置される場合に、これらの隣接した一対の冷蔵倉庫用パネルを直角に連結するためのコーナ用パネルを備えた冷蔵倉庫用パネル組立体であって、
前記コーナ用パネルが、
一対の板材間に断熱材を備えるコーナ用パネル本体と、
前記冷蔵倉庫角部にあって前記コーナ用パネル本体の一端側に前記板材間の外側に張り出して設けられ、連結する一方の前記冷蔵倉庫用パネルに向かって開口したコーナ用溝部を備えたコーナ用枠材と、
前記コーナ用溝部へ一側が嵌入され、他側が前記冷蔵倉庫用パネルの前記接合溝部へ嵌入され、前記コーナ用溝部の対向する側壁面及び前記接合溝部の対向する側壁面に各々面接触する一対の平行板と、前記平行板の間を架け渡し、前記平行板と共に前記コーナ用溝部の底面及び前記接合溝部の底面に対向する凹部を形成する中間部材と、を備えた連結部材と、
前記コーナ用枠材にて前記冷蔵倉庫用パネルに接合される面の反対側の面から挿通され、前記連結部材の前記凹部に案内されて前記冷蔵倉庫用パネル内に到達し、前記コーナ用枠材を前記冷蔵倉庫用パネルに固定する固定手段と、
を有すると共に、前記コーナ用パネルの他端側が他方の前記冷蔵倉庫用パネルに直列状に連結されることを特徴とする冷蔵倉庫用パネル組立体。
【請求項９】
前記コーナ用溝部の底面裏側に案内溝が形成され、前記固定手段による固定時に前記固定手段が前記案内溝に案内されて前記コーナ用溝部の底面を貫通することを特徴とする請求項８記載の冷蔵倉庫用パネル組立体。
【発明の詳細な説明】
【技術分野】
【０００１】
本発明は、断熱材を備える冷蔵倉庫用パネル組立体及び冷蔵倉庫用パネルに関する。
【背景技術】
【０００２】
冷蔵倉庫用パネルにおいては、複数のパネルを接合して壁を形成するために、パネルの一端部に凸部、他端部に凹部を設け、隣接する一方のパネルの凸部を他方のパネルの凹部に嵌合するものがある（例えば、特許文献１参照）。
【０００３】
このようなパネルの接合では、凸部と凹部とを嵌合させる必要があるため、パネルの凸部を有する端部に対し、隣接するパネルは、凹部側の端部を向けなければならなかった。このため、例えば、パネル組立時にパネルの向きを誤るとパネル同士の接合ができないので、パネル組立時にパネルの向きに留意する必要があった。
【特許文献１】特開平１０−１２１６１１号公報
【発明の開示】
【発明が解決しようとする課題】
【０００４】
本発明は、上記事実を考慮して、パネル組立時にいずれのパネル側端部を対向させても接合することができる冷蔵倉庫用パネル組立体及び冷蔵倉庫用パネルを提供することを課題とする。
【課題を解決するための手段】
【０００５】
請求項１に記載する本発明の冷蔵倉庫用パネル組立体は、一対の板材間に断熱材を備える複数の冷蔵倉庫用パネル本体と、この冷蔵倉庫用パネル本体の両端部に各々設けられ、前記冷蔵倉庫用パネル本体の外方に向かって開口した接合溝部を備えた枠材と、を備える冷蔵倉庫用パネルと、隣接する一対の前記冷蔵倉庫用パネルのうちの一方の前記冷蔵倉庫用パネルの前記接合溝部へ一側が嵌入され、他側が他方の前記冷蔵倉庫用パネルの前記接合溝部へ嵌入され、隣接する一対の前記冷蔵倉庫用パネルを互いに連結する連結部材と、を有することを特徴とする。
【０００６】
請求項１に記載する本発明の冷蔵倉庫用パネル組立体によれば、隣接する一対の冷蔵倉庫用パネルのうちの一方の冷蔵倉庫用パネルの接合溝部へ連結部材の一側が嵌入され、連結部材の他側は、他方の冷蔵倉庫用パネルの接合溝部へ嵌入される。これにより、隣接する一対の冷蔵倉庫用パネルは、連結部材を介して連結される。このように、冷蔵倉庫用パネル本体の両端部に各々接合溝部を設けて連結部材で連結させることで、パネル組立時にいずれのパネル側端部を対向させても冷蔵倉庫用パネル同士を接合することができる。
【０００７】
請求項２に記載する本発明の冷蔵倉庫用パネル組立体は、請求項１記載の構成において、前記連結部材が、前記接合溝部の対向する側壁面に各々面接触する一対の平行板と、前記平行板の間を架け渡し、前記平行板と共に前記接合溝部の底面に対向する凹部を形成する中間部材と、を有することを特徴とする。
【０００８】
請求項２に記載する本発明の冷蔵倉庫用パネル組立体によれば、連結部材の凹部が接合溝部の底面に対向するので、枠材にて接合溝部の反対側の面からボルトやビス等を貫通させる場合には、この凹部を誘い溝とすることができ、ボルト等を所定位置で締めることが可能となる。
【０００９】
請求項３に記載する本発明の冷蔵倉庫用パネル組立体は、請求項２記載の構成において、前記中間部材が互いに略平行に２個設けられ、前記平行板と前記中間部材とが閉空間を形成することを特徴とする。
【００１０】
請求項３に記載する本発明の冷蔵倉庫用パネル組立体によれば、中間部材が互いに略平行に２個設けられ、平行板と中間部材とが閉空間を形成するので、連結部材の剛性を向上することができると共に、凹部の強度も確保できる。
【００１１】
請求項４に記載する本発明の冷蔵倉庫用パネル組立体は、請求項３記載の構成において、前記閉空間内に断熱材が配設されたことを特徴とする。
【００１２】
請求項４に記載する本発明の冷蔵倉庫用パネル組立体によれば、閉空間内に断熱材が配設されるので、断熱効果を高めることができる。
【００１３】
請求項５に記載する本発明の冷蔵倉庫用パネルは、請求項１から４のいずれか一項に記載の冷蔵倉庫用パネル組立体に用いられる冷蔵倉庫用パネルであって、対向して配置される一対の板材と、一対の前記板材間に充填される断熱材と、前記板材の両端部側にそれぞれ配置され、前記板材の両端部にそれぞれ係合する係合溝部を備えると共に、外方に向かって開口した接合溝部を備える枠材と、を有することを特徴とする。
【００１４】
請求項５に記載する本発明の冷蔵倉庫用パネルによれば、枠材の係合溝部が板材の両端部にそれぞれ係合する。枠材の接合溝部は、外方に向かって開口しており、これに連結部材の一側又は他側が嵌入される。これにより、パネル組立時にいずれのパネル側端部を対向させても冷蔵倉庫用パネル同士を接合することができる。
【００１５】
請求項６に記載する本発明の冷蔵倉庫用パネルは、請求項５記載の構成において、前記接合溝部が前記冷蔵倉庫用パネルの厚さ方向中央位置に形成されたことを特徴とする。
【００１６】
請求項６に記載する本発明の冷蔵倉庫用パネルによれば、接合溝部が冷蔵倉庫用パネルの厚さ方向中央位置に形成されているので、冷蔵倉庫用パネルの表裏の向きに関係なく冷蔵倉庫用パネルを接合させることができる。
【００１７】
請求項７に記載する本発明の冷蔵倉庫用パネルは、請求項５又は請求項６に記載の構成において、前記枠材が前記板材間の外側に張り出して配置されていることを特徴とする。
【００１８】
請求項７に記載する本発明の冷蔵倉庫用パネルによれば、枠材が板材間の外側に張り出して配置されているので、冷蔵倉庫用パネル同士に角度を持たせて接合させる場合にも対応することができる。
【００１９】
請求項８に記載する本発明の冷蔵倉庫用パネル組立体は、請求項１から７のいずれか一項に記載される複数枚の冷蔵倉庫用パネルが冷蔵倉庫角部で互いに直角に隣接して配置される場合に、これらの隣接した一対の冷蔵倉庫用パネルを直角に連結するためのコーナ用パネルを備えた冷蔵倉庫用パネル組立体であって、前記コーナ用パネルが、一対の板材間に断熱材を備えるコーナ用パネル本体と、前記冷蔵倉庫角部にあって前記コーナ用パネル本体の一端側に前記板材間の外側に張り出して設けられ、連結する一方の前記冷蔵倉庫用パネルに向かって開口したコーナ用溝部を備えたコーナ用枠材と、前記コーナ用溝部へ一側が嵌入され、他側が前記冷蔵倉庫用パネルの前記接合溝部へ嵌入され、前記コーナ用溝部の対向する側壁面及び前記接合溝部の対向する側壁面に各々面接触する一対の平行板と、前記平行板の間を架け渡し、前記平行板と共に前記コーナ用溝部の底面及び前記接合溝部の底面に対向する凹部を形成する中間部材と、を備えた連結部材と、前記コーナ用枠材にて前記冷蔵倉庫用パネルに接合される面の反対側の面から挿通され、前記連結部材の前記凹部に案内されて前記冷蔵倉庫用パネル内に到達し、前記コーナ用枠材を前記冷蔵倉庫用パネルに固定する固定手段と、を有すると共に、前記コーナ用パネルの他端側が他方の前記冷蔵倉庫用パネルに直列状に連結されることを特徴とする。
【００２０】
請求項８に記載する本発明の冷蔵倉庫用パネル組立体によれば、複数枚の冷蔵倉庫用パネルが冷蔵倉庫角部で互いに直角に隣接して配置される場合に、コーナ用パネルがこれらの隣接した一対の冷蔵倉庫用パネルを直角に連結する。ここで、連結部材の一側は、コーナ用溝部へ嵌入され、連結部材の他側は、冷蔵倉庫用パネルの接合溝部へ嵌入される。これにより、パネル組立時に冷蔵倉庫用パネルのいずれのパネル側端部をコーナ用パネルの接合部分に対向させても接合することができる。コーナ用パネルには、固定手段（例えば、ボルト、ビス、リベット等の締結手段等）がコーナ用枠材にて冷蔵倉庫用パネルに接合される面の反対側の面から挿通される。固定手段は、連結部材の凹部に案内されて冷蔵倉庫用パネル内に到達し、コーナ用枠材を冷蔵倉庫用パネルに固定する。固定手段が凹部に案内されることで、固定手段の先端を所定位置に到達させることができる。
【００２１】
請求項９に記載する本発明の冷蔵倉庫用パネル組立体は、請求項８記載の構成において、前記コーナ用溝部の底面裏側に案内溝が形成され、前記固定手段による固定時に前記固定手段が前記案内溝に案内されて前記コーナ用溝部の底面を貫通することを特徴とする。
【００２２】
請求項９に記載する本発明の冷蔵倉庫用パネル組立体によれば、コーナ用溝部の底面裏側に案内溝が形成され、固定手段による固定時に固定手段が案内溝に案内されるので、固定手段が確実にコーナ用溝部の底面を貫通することができる。
【発明の効果】
【００２３】
以上説明したように、本発明の冷蔵倉庫用パネル組立体及び冷蔵倉庫用パネルによれば、パネル組立時にいずれのパネル側端部を対向させても接合することができるという優れた効果を有する。
【発明を実施するための最良の形態】
【００２４】
本発明における冷蔵倉庫用パネル組立体の実施形態を図面に基づき説明する。ここで、冷蔵倉庫用パネル組立体は、冷蔵倉庫用パネル及び冷蔵倉庫コーナ用パネルを連結部材で連結した組立体である。
【００２５】
図１には、冷蔵倉庫用パネル（以下、単に「パネル」という。）１０及び冷蔵倉庫コーナ用パネル（以下、単に「コーナ用パネル」という。）１１により組み立てられた冷蔵倉庫１２の外観斜視図が示されている。パネル１０及びコーナ用パネル１１は、冷蔵倉庫１２の側壁部１２Ａ及び天井部１２Ｂを構成しており、全体として箱状に組み立てられる。ここで、パネル１０は、側壁部１２Ａと天井部１２Ｂの壁面中間部とに配置され、コーナ用パネル１１は、天井部１２Ｂの隅部に配置されている。天井部１２Ｂのパネル１０及びコーナ用パネル１１は、外縁部の一部がレール１３Ａに掛止され、このレール１３Ａが吊り部材１３Ｂで天井スラブ（図示省略）から吊り下げられている。図中にて右側の側壁部１２Ａの開口部分には、防熱扉１３Ｃが組み付けられている。なお、図中において、冷蔵倉庫１２の上方を矢印ＵＰで、冷蔵倉庫１２の外側方向を矢印ＯＵＴでそれぞれ示す。
【００２６】
図２は、３個のパネル１０が直列状に接合された状態を示している。図２に示すように、各パネル１０には、表裏面を構成する一対の鉄板１４、１５が等間隔で対向して配置されており、この鉄板１４、１５の間に断熱材１６が充填されている。この鉄板１４、１５と断熱材１６とがパネル本体１７を構成する。断熱材１６としては、硬質ウレタンフォーム、イソシアヌレートフォーム等が使用される。
【００２７】
各パネル１０には、鉄板１４、１５の両端部側にパネル用枠材１８が配置されている。パネル用枠材１８は、断熱性の観点等から金属材料でなく、合成樹脂材料で成形されている。図３に示されるように、このパネル用枠材１８は、長手方向にわたって同一断面形状であり、図４に示されるように、一対の鉄板１４、１５の屈曲した端部１４Ａ、１５Ａがそれぞれ外側から係合する係合溝部２０が形成されている。各係合溝部２０の入り口には、凸部２０Ａが形成されており、この凸部２０Ａの両側面は、傾斜して案内面とされている。この凸部２０Ａにより、鉄板１４、１５の端部１４Ａ、１５Ａが案内面に案内されて嵌るようになっている。
【００２８】
各パネル用枠材１８には、パネル１０の厚さ方向中間部にパネル１０の外方に向かって開口される接合溝部２２が形成されている。この接合溝部２２を構成するため、パネル用枠材１８の中央部分は、断熱材１６（図２参照）内に入り込んだコ字状部２３とされている。各パネル１０の接合溝部２２は、パネル１０同士が突き合わされた状態では、互いに対向して配置されるようになっている。
【００２９】
対向配置された接合溝部２２の間には、連結部材２４が嵌入されている。連結部材２４は、断熱性の観点等から金属材料でなく、合成樹脂材料で成形されている。図４には、パネル１０の端部同士を分離した状態が示されている。図４に示すように、連結部材２４は、一対の平行板２６、２７を備えている。パネル１０同士の接合時にこの平行板２６、２７は、図３に示すように、パネル接合溝部２２の対向する側壁面２２Ａに各々面接触するようになっている。平行板２６、２７の間には、中間部材２８、２９が架け渡されている。この中間部材２８、２９は、互いに略平行とされ、平行板２６、２７と共に接合溝部２２の底面２２Ｂに対向する凹部３０を形成している。また、連結部材２４の中央は、平行板２６、２７と中間部材２８、２９とにより閉空間３２が形成され、この閉空間３２内に断熱材３４が配設されている。閉空間３２が形成されることで、連結部材２４の剛性を向上することができると共に、凹部３０の強度も確保できる。
【００３０】
なお、パネル１０同士の継ぎ目にはシーリングが施され、気密性や断熱性等を持たせている。また、接合溝部２２には、連結部材２４との間の結露排出等の目的で溝２２Ｄが形成されている。同様の目的で連結部材２４には、Ｖ字形の切り込み２５が形成されている。
【００３１】
次に、図１に示される冷蔵倉庫１２の壁面中間部に配置されるパネル１０単体のコーナ部及びパネル枠の構成について、図５に基づき説明する。
【００３２】
図中には、一枚のパネル１０（図１参照）のパネル側端部に適用される縦枠用のパネル用枠材１８が左下に示され、パネル上端部に適用される横枠用のパネル用枠材１８が右上に示されている。これらのパネル用枠材１８、１８は、角部枠材３５を介して互いに直角に接合する。角部枠材３５は、四角形枠とされるパネル枠のコーナ部を構成し、互いに直交する外面３５Ａ、３５Ｂを備えて直角に屈曲している。この角部枠材３５の両端側には、それぞれパネル用枠材１８の先端開口部１８Ａに嵌合される段差状の嵌合部３５Ｃが形成されている。このように、パネル側端部を構成するパネル用枠材１８とパネル上端部を構成するパネル用枠材１８とのコーナ部をパネル用枠材１８、１８とは別体とされる角部枠材３５で接合することで、パネル用枠材１８、１８は、それぞれ長尺に成形できる。
【００３３】
また、角部枠材３５がパネル用枠材１８と接合した場合に接合溝部２２の延長部を構成する補助溝部３５Ｄが形成されている。ここで、四角形枠とされるパネル枠の左下、右上、右下の各コーナ部も前述の（左上の）コーナ部と同様に角部枠材３５を介して接合されるので、パネル１０（図１参照）の全周にわたって接合のための溝部（２２、３５Ｄ）を形成することができる。これにより、図１に示される冷蔵倉庫１２の壁面中間部において、隣接するパネル１０同士が連結部材２４（図２参照）を介して接合可能となる。なお、このパネル１０を図１に示される天井部１２Ｂの壁面中間部に用いる場合には、図１に示すように、鉄板１４、１５の板面中間部が床面１２Ｄに対して平行な姿勢となるように配置する。
【００３４】
次に、図１に示される冷蔵倉庫１２の側壁部１２Ａのパネル１０と天井隅部のコーナ用パネル１１とを直角に接合させる形態、すなわち、パネル１０が冷蔵倉庫１２の角部で互いに直角に隣接して配置され、コーナ用パネル１１がこれらの隣接した一対のパネル１０を直角に連結する場合について図６〜図８に基づき説明する。
【００３５】
図６の左上には、図１に示される冷蔵倉庫１２の天井隅部（コーナ部１２Ｃを含む）に用いられるコーナ用パネル１１が示されている。このコーナ用パネル１１は、一対の鉄板１４、１５間に断熱材１６を備えたコーナ用パネル本体１１Ａを有し、パネル１０と直列状に接合する側（図中では右側）の端部には、パネル用枠材１８を備えて連結部材２４を介してパネル１０と連結されているが、パネル１０と直角に接合する側（図中では左側）の端部には、パネル用枠材１８とは異なる形状のコーナ用枠材１９が備えられている。
【００３６】
図６及び図８に示すように、コーナ用枠材１９は、一対の鉄板１４、１５間の外側に張り出して配置され、内側に断熱材１６が充填されており、横向き（図中では下向き）に、すなわち、連結接合するパネル１０側に向かって開口するように、コーナ用溝部２１が形成されている。このコーナ用溝部２１は、断熱材１６（図６参照）内に入り込んだ略コ字状とされている。コーナ用溝部２１とパネル１０の接合溝部２２とは、図６に示されるように、コーナ用パネル１１とパネル１０とがコーナを形成して直角に接合された状態では、互いに対向して配置されるようになっている。
【００３７】
このコーナ用溝部２１へは、連結部材２４の一側が嵌入されており、連結部材２４の他側は、パネル１０の接合溝部２２へ嵌入される。この連結部材２４には、パネル１０同士を直列状に接合する場合に使用されるものと同じ形状のものが使用され、図８に示すように、連結部材２４は、平行板２６、２７と中間部材２８、２９とを備える。平行板２６、２７は、コーナ用溝部２１の対向する側壁面２１Ａ及び接合溝部２２の対向する側壁面２２Ａに各々面接触し、平行板２６、２７及び中間部材２８、２９は、コーナ用溝部２１の底面２１Ｂ及び接合溝部２２の底面２２Ｂに対向する凹部３０を形成している。
【００３８】
コーナ用枠材１９には、コーナ用溝部２１の反対側の面（パネル１０に接合される面の反対側の面）には、コーナ止め凹部３６が形成されている。このコーナ止め凹部３６は、断面がコ字状の凹陥部とされ、コーナ止め凹部３６の底面３６Ａは、鉄板１４と略平行とされている。この底面３６Ａには、ボルト用の貫通孔（図示省略）が形成されてスクリューボルト３８が挿通して貫通するようになっており、図６に示すように、スクリューボルト３８は、内部の断熱材１６を挿通している。スクリューボルト３８の先端部３８Ａは、対向するコーナ用溝部２１の底面２１Ｂの裏側に形成された断面視Ｖ字状の案内溝２１Ｃに案内されてコーナ用溝部２１の底面２１Ｂを貫通し、さらにコーナ用溝部２１内にある連結部材２４の凹部３０を誘い溝として案内されてパネル１０内に到達する。これにより、スクリューボルト３８は、横ずれすることなく所定位置で締められることとなり、コーナ用枠材１９をパネル１０に固定することでコーナ用パネル１１とパネル１０とを固定することができる。
【００３９】
図６及び図７に示すように、コーナ止め凹部３６に隣接してカバー用溝部４０が形成されており、コーナ用溝部２１の近隣に形成されたカバー用溝部４１と共に、断面略Ｌ字状のカバー４２の折曲端部４２Ａを嵌入できるようになっている。ここで、折曲端部４２Ａが嵌入された部分には、シーリングが施される。図６に示すように、このカバー４２は、コーナ用枠材１９及びスクリューボルト３８を、すなわち、図１に示される冷蔵倉庫１２の側壁部１２Ａと天井部１２Ｂとの隅部を覆う。
【００４０】
なお、図６における左下のパネル１０の向きを逆にしてもパネル１０とコーナ用パネル１１とを接合することができる。
【００４１】
次に、図６に示されるパネル１０、コーナ用パネル１１の紙面に垂直な方向手前側のコーナ部（図中では左上部分に対応）について図９、１０に基づき説明する。
【００４２】
図９、１０に示されるパネル用枠材１８、１８の端部同士は、角部枠材３５（図５参照）では、接合できないため、コーナ枠材４４を用いて接合する。図１０に示すように、コーナ枠材４４は、互いに直交する外向き側面４４Ａ、４４Ｂを備えて直角に屈曲しており、コーナ用パネル１１のコーナ用枠材１９の手前に配置される。コーナ枠材４４の両端部側には、それぞれパネル用枠材１８の先端開口部１８Ａに嵌合される段差状の嵌合部４４Ｃが形成されている。
【００４３】
また、コーナ枠材４４がパネル用枠材１８と接合した場合に接合溝部２２の延長部を構成する補助溝部４４Ｄが形成されている。これにより、接合されたパネル１０とコーナ用パネル１１とに連続的な溝部（２２、４４Ｄ）を形成することができるので、この溝部（２２、４４Ｄ）に連結部材２４（図６等参照）を嵌入させることで、新たに別のパネル１０やコーナ用パネル１１を接合することができる。
【００４４】
次に、上記の実施形態の作用を説明する。
【００４５】
図２に示すように、パネル１０は、パネル用枠材１８の係合溝部２０に一対の鉄板１４、１５の両端部１４Ａ、１５Ａが係合し、鉄板１４、１５の間に断熱材１６が充填されているので、断熱作用を発揮する。接合溝部２２には、連結部材２４の一部が嵌入可能となっているため、パネル１０の端部同士を隣接させ、対向する接合溝部２２の両方に連結部材２４を嵌入すれば、２個のパネル１０を隣接して接合することができる。このように、パネル１０の端部同士の凹凸嵌合ではなく、パネル１０の両端部に接合溝部２２を形成し、接合溝部２２同士を対向させると共に、連結部材２４を嵌入することで、パネル組立時にいずれのパネル側端部を対向させても接合することができる。これにより、パネル１０を迅速に組み立てることができる。
【００４６】
また、連結部材２４の接合溝部２２への嵌入深さを調整することで、密閉性を維持しながら、目地幅の寸法を容易に調整できる。さらに、製造時においては、１種類の成形金型でパネル１０両側のパネル用枠材１８を成形することができるので、従来のように、凹部及び凸部についての２種類の成形金型を用いる必要がない。さらに、パネル１０単体の製造時に、従来のように、一方のパネル枠の側端部が凹部を備えた枠、他方のパネル枠の側端部が凸部を備えた枠となるようにする必要がなく、パネル枠の側端部の両方が同一形状の接合溝部２２を備えた枠とされることで、パネル１０単体の製造効率が向上する。
【００４７】
なお、上記の実施の形態では、図４に示すように、連結部材２４に略平行な中間部材２８、２９が２個設けられているが、中間部材２８、２９は２個以外でもよく、例えば、１個であってもよい。また、連結部材２４の閉空間３２には、図３に示すように、断熱材３４が配設されているが、断熱材３４が配設されなくてもよい。
【図面の簡単な説明】
【００４８】
【図１】冷蔵倉庫用パネルにより組み立てられた冷蔵倉庫を示す外観斜視図である。
【図２】本発明の実施形態に係る冷蔵倉庫用パネルが直列状に接合された状態を示す断面図である。
【図３】本発明の実施形態に係る冷蔵倉庫用パネルが直列状に接合された状態を示す半断面の斜視図である。
【図４】本発明の実施形態に係る冷蔵倉庫用パネルの端部同士が分離した状態を示す断面図である。
【図５】パネル自体のコーナに用いる角部枠材を示す斜視図である。
【図６】本発明の実施形態に係るパネル及びコーナー用パネルが直角に接合された状態を示す断面図である。
【図７】本発明の実施形態に係るパネル及びコーナー用パネルが直角に接合された状態を示す半断面の斜視図である。
【図８】本発明の実施形態に係るパネル及びコーナー用パネルの端部同士が分離した状態を示す断面図である。
【図９】冷蔵倉庫用パネルのコーナ枠材を示す平面図である。
【図１０】冷蔵倉庫用パネルのコーナ枠材によってパネル用枠材の端部同士を直角に接合する場合を示す斜視図である。
【符号の説明】
【００４９】
１０    パネル（冷蔵倉庫用パネル）
１１    コーナ用パネル
１１Ａ  コーナ用パネル本体
１４    鉄板（板材）
１５    鉄板（板材）
１６    断熱材
１７    パネル本体（冷蔵倉庫用パネル本体）
１８    パネル用枠材（枠材）
１９    コーナ用枠材
２０    係合溝部
２１    コーナ用溝部
２１Ｃ  案内溝
２２    接合溝部
２４    連結部材
２６    平行板
２７    平行板
２８    中間部材
２９    中間部材
３０    凹部
３２    閉空間
３４    断熱材
３８    スクリューボルト（固定手段）
【図１】
2005155071.tif 000003
【図２】
2005155071.tif 000004
【図３】
2005155071.tif 000005
【図４】
2005155071.tif 000006
【図５】
2005155071.tif 000007
【図６】
2005155071.tif 000008
【図７】
2005155071.tif 000009
【図８】
2005155071.tif 000010
【図９】
2005155071.tif 000011
【図１０】
2005155071.tif 000012